(57)【要約】  【課題】  ガム容器などをそのまま自分のデスクの上に置くことに抵抗のあるユーザであっても、他人の目を気にすることなく利用することのできる菓子容器を提供する。  【解決手段】  菓子容器１は、筒状のガムボトル２と、ガムボトルの外側を覆うぬいぐるみカバー３を備える。ガムボトル２は、ガムが収納されるボトル本体部４と、ボトル本体部４の上部にヒンジ部５を介して取り付けられるキャップ部６を備える。キャップ部６は、ヒンジ部５を中心に回動させることにより開閉可能である。ぬいぐるみカバー３は、ボトル本体部４を覆うカバー本体部７と、キャップ部６を覆うキャップカバー部８を備える。キャップカバー部８は、ヒンジ部５に対応する位置においてカバー本体部７と連結されており、キャップ部６とともに開閉可能である。【選択図】  図２
0003172083.tif 000002
【実用新案登録請求の範囲】
【請求項１】
筒状の菓子ボトルと、
前記菓子ボトルの外側を覆うキャラクターカバーと、
を備え、
前記菓子ボトルは、菓子が収納されるボトル本体部と、前記ボトル本体部の上部にヒンジ部を介して取り付けられるキャップ部とを備え、
前記キャップ部は、前記ヒンジ部を中心に回動させることにより開閉可能であり、
前記キャラクターカバーは、前記ボトル本体部を覆うカバー本体部と、前記キャップ部を覆うキャップカバー部とを備え、
前記キャップカバー部は、前記ヒンジ部に対応する位置において前記カバー本体部と連結されており、前記キャップ部とともに開閉可能であることを特徴とする菓子容器。
【請求項２】
前記キャラクターカバーは、ぬいぐるみで構成されている、請求項１に記載の菓子容器。
【請求項３】
前記菓子ボトルは、ガムが収納されるガムボトル、または、キャンディーが収納されるキャンディーボトルである、請求項１または２に記載の菓子容器。
【請求項４】
筒状の菓子ボトルの外側を覆うキャラクターカバーであって、
前記菓子ボトルは、菓子が収納されるボトル本体部と、前記ボトル本体部の上部にヒンジ部を介して取り付けられるキャップ部とを備え、
前記キャップ部は、前記ヒンジ部を中心に回動させることにより開閉可能であり、
前記キャラクターカバーは、前記ボトル本体部を覆うカバー本体部と、前記キャップ部を覆うキャップカバー部とを備え、
前記キャップカバー部は、前記ヒンジ部に対応する位置において前記カバー本体部と連結されており、前記キャップ部とともに開閉可能であることを特徴とするキャラクターカバー。
【請求項５】
前記キャラクターカバーは、ぬいぐるみで構成されている、請求項４に記載のキャラクターカバー。
【請求項６】
前記菓子ボトルは、ガムが収納されるガムボトル、または、キャンディーが収納されるキャンディーボトルである、請求項４または請求項５に記載のキャラクターカバー。
【考案の詳細な説明】
【技術分野】
【０００１】
本考案は、菓子ボトルをキャラクターカバーで覆った菓子容器に関する。
【背景技術】
【０００２】
近年、ガムボトルやキャンディーボトルなどの菓子ボトルを、オフィスの自分のデスクの上に置くユーザが増加している。従来、ガムが収納されるボトル本体と、ボトル本体の上部にヒンジを介して取り付けられるキャップとを備えたガム容器が、一般に知られている（例えば特許文献１参照）。
【先行技術文献】
【特許文献】
【０００３】
【特許文献１】特開２００９−１０７６７０号公報
【考案の概要】
【考案が解決しようとする課題】
【０００４】
しかしながら、ガム容器を自分のデスクの上に置くことに抵抗のあるユーザ（例えば、若い女性など）も少なくない。そのようなユーザの場合、従来のガム容器では、他人の目を気にしてしまい、利用することができないという問題があった。
【０００５】
本考案は、上記の課題に鑑みてなされたもので、ガム容器などをそのまま自分のデスクの上に置くことに抵抗のあるユーザであっても、他人の目を気にすることなく利用することのできる菓子容器を提供することを目的とする。
【課題を解決するための手段】
【０００６】
本考案の菓子容器は、筒状の菓子ボトルと、前記菓子ボトルの外側を覆うキャラクターカバーと、を備え、前記菓子ボトルは、菓子が収納されるボトル本体部と、前記ボトル本体部の上部にヒンジ部を介して取り付けられるキャップ部とを備え、前記キャップ部は、前記ヒンジ部を中心に回動させることにより開閉可能であり、前記キャラクターカバーは、前記ボトル本体部を覆うカバー本体部と、前記キャップ部を覆うキャップカバー部とを備え、前記キャップカバー部は、前記ヒンジ部に対応する位置において前記カバー本体部と連結されており、前記キャップ部とともに開閉可能である。
【０００７】
菓子ボトルの外側をキャラクターカバーで覆うことにより、容器の外観が、菓子ボトル（例えば、ガムボトル）ではなく、キャラクターカバー（例えば、ぬいぐるみ）になる。したがって、例えば、ガムボトルを自分のデスクの上に置くことに抵抗のあるユーザ（例えば、若い女性）でも、本考案の菓子容器であれば、他人の目を気にすることなく自分のデスクの上に置くことができる。この場合、キャラクターカバーのキャップカバー部が、菓子ボトルのキャップ部と一緒に開閉されるので、菓子ボトルのキャップ部を開閉するときにも、外観上、菓子ボトルが見えることがない。したがって、他人の目を気にすることなく、菓子ボトルのキャップ部を開閉して、菓子ボトルの中から菓子（例えば、ガム）を取り出すことができる。
【０００８】
また、本考案の菓子容器では、前記キャラクターカバーは、ぬいぐるみで構成されてもよい。
【０００９】
キャラクターカバーをぬいぐるみで構成することにより、キャラクターカバーのデザイン性が向上し、若い女性などのユーザの興味をひくことができる。また、ぬいぐるみは、柔軟な素材（毛糸やフェルトなど）で構成されるので、菓子ボトルの外形形状に追従するように変形することができ、様々な外形形状の菓子ボトル（例えば、角筒状の菓子ボトル）にもフィットすることが可能である。したがって、いろいろな種類の形状の菓子ボトルに適用することができる。
【００１０】
また、本考案の菓子容器では、前記菓子ボトルは、ガムが収納されるガムボトル、または、キャンディーが収納されるキャンディーボトルであってもよい。
【００１１】
本考案の菓子容器によれば、ガムボトルやキャンディーボトルを自分のデスクの上に置くことに抵抗のあるユーザ（例えば、若い女性）であっても、他人の目を気にすることなく自分のデスクの上に置くことができる。そして、そのようなユーザに対して、ガムやキャンディーの購買意欲を高めることができる。
【００１２】
本考案のキャラクターカバーは、筒状の菓子ボトルの外側を覆うキャラクターカバーであって、前記菓子ボトルは、菓子が収納されるボトル本体部と、前記ボトル本体部の上部にヒンジ部を介して取り付けられるキャップ部とを備え、前記キャップ部は、前記ヒンジ部を中心に回動させることにより開閉可能であり、前記キャラクターカバーは、前記ボトル本体部を覆うカバー本体部と、前記キャップ部を覆うキャップカバー部とを備え、前記キャップカバー部は、前記ヒンジ部に対応する位置において前記カバー本体部と連結されており、前記キャップ部とともに開閉可能である。
【００１３】
菓子ボトルの外側をキャラクターカバーで覆うことにより、容器の外観が、菓子ボトル（例えば、ガムボトル）ではなく、キャラクターカバー（例えば、ぬいぐるみ）になる。したがって、例えば、ガムボトルを自分のデスクの上に置くことに抵抗のあるユーザ（例えば、若い女性）でも、本考案の菓子容器であれば、他人の目を気にすることなく自分のデスクの上に置くことができる。この場合、キャラクターカバーのキャップカバー部が、菓子ボトルのキャップ部と一緒に開閉されるので、菓子ボトルのキャップ部を開閉するときにも、外観上、菓子ボトルが見えることがない。したがって、他人の目を気にすることなく、菓子ボトルのキャップ部を開閉して、菓子ボトルの中から菓子（例えば、ガム）を取り出すことができる。
【００１４】
また、本考案のキャラクターカバーは、ぬいぐるみで構成されてもよい。
【００１５】
キャラクターカバーをぬいぐるみで構成することにより、キャラクターカバーのデザイン性が向上し、若い女性などのユーザの興味をひくことができる。また、ぬいぐるみは、柔軟な素材（毛糸やフェルトなど）で構成されるので、菓子ボトルの外形形状に追従するように変形することができ、様々な外形形状の菓子ボトル（例えば、角筒状の菓子ボトル）にもフィットすることが可能である。したがって、いろいろな種類の形状の菓子ボトルに適用することができる。
【００１６】
また、本考案のキャラクターカバーでは、前記菓子ボトルは、ガムが収納されるガムボトル、または、キャンディーが収納されるキャンディーボトルであってもよい。
【００１７】
本考案のキャラクターカバーによれば、ガムボトルやキャンディーボトルを自分のデスクの上に置くことに抵抗のあるユーザ（例えば、若い女性）であっても、他人の目を気にすることなく自分のデスクの上に置くことができる。そして、そのようなユーザに対して、ガムやキャンディーの購買意欲を高めることができる。
【考案の効果】
【００１８】
本考案によれば、ガム容器などをそのまま自分のデスクの上に置くことに抵抗のあるユーザであっても、他人の目を気にすることなく利用することができる。
【図面の簡単な説明】
【００１９】
【図１】本考案の実施の形態における菓子容器（閉じた状態）の斜視図
【図２】本考案の実施の形態における菓子容器（開いた状態）の斜視図
【図３】本考案の実施の形態におけるガムボトル（閉じた状態）の斜視図
【図４】本考案の実施の形態におけるガムボトル（開いた状態）の斜視図
【考案を実施するための形態】
【００２０】
以下、本考案の実施の形態の菓子容器について、図面を用いて説明する。本実施の形態では、例えば、オフィスのデスクの上に置かれるガム容器等として用いられる菓子容器の場合を例示する。
【００２１】
本考案の実施の形態の菓子容器の構成を、図面を参照して説明する。図１および図２は、本実施の形態の菓子容器を示す斜視図であり、図３および図４は、本実施の携帯の菓子容器に収納されるガムボトルの斜視図である。
【００２２】
図１〜図４に示すように、本実施の形態の菓子容器１は、円筒状のガムボトル２と、ガムボトル２の外側を覆うキャラクターカバー３とで構成されている。本実施の形態では、キャラクターカバー３は、ぬいぐるみで構成されている。キャラクターカバー３は、ぬいぐるみカバーと呼ぶこともできる。図１および図２では、「くま」のぬいぐるみを使用した例が示されているが、ぬいぐるみは、種々の動物や人物、その他の様々なキャラクターを模したものであってよい。
【００２３】
ガムボトル２は、ガムが収納されるボトル本体部４と、ボトル本体部４の上部にヒンジ部５を介して取り付けられるキャップ部６とで構成されている（図３および図４参照）。このキャップ部６は、ヒンジ部５を中心に回動させることにより開閉可能である。
【００２４】
キャラクターカバー３は、ボトル本体部４を覆うカバー本体部７と、キャップ部６を覆うキャップカバー部８とで構成されている。キャップカバー部８は、ヒンジ部５に対応する位置においてカバー本体部７と連結されており、キャップ部６とともに開閉可能である。図１〜図４の例では、「くま」のぬいぐるみの体の部分がカバー本体部７を構成し、「くま」のぬいぐるみの顔の部分がキャップカバー部８を構成している。この場合、「くま」のぬいぐるみの首の部分がヒンジ部５に対応する位置になる。
【００２５】
以上のように構成された菓子容器１について、その動作を説明する。
【００２６】
本実施の形態の菓子容器１のガムボトル２には、ガムが収納される。ユーザが、ガムを取り出すときには、ガムボトル２のキャップ部６をヒンジ部５を中心に回動させて開いた状態にする。このとき、キャップカバー部８も、キャップ部６とともに開いた状態になる。このように、ガムボトル２のキャップ部６を開けて、ガムボトル２の中からガムを取り出す。
【００２７】
ガムボトル２の中からガムを取り出し終えたら、ガムボトル２のキャップ部６をヒンジ部５を中心に逆方向に回動させて閉じた状態にする。このとき、キャップカバー部８も、キャップ部６とともに閉じた状態になる。
【００２８】
このような本考案の実施の形態の菓子容器１によれば、ガム容器などをそのまま自分のデスクの上に置くことに抵抗のあるユーザであっても、他人の目を気にすることなく利用することができる。
【００２９】
すなわち、本実施の形態では、菓子ボトルの外側をキャラクターカバー３で覆うことにより、容器の外観が、菓子ボトル（例えば、ガムボトル２）ではなく、キャラクターカバー３（例えば、ぬいぐるみ）になる。したがって、例えば、ガムボトル２を自分のデスクの上に置くことに抵抗のあるユーザ（例えば、若い女性）でも、本考案の菓子容器１であれば、他人の目を気にすることなく自分のデスクの上に置くことができる。この場合、キャラクターカバー３のキャップカバー部８が、菓子ボトルのキャップ部６と一緒に開閉されるので、菓子ボトルのキャップ部６を開閉するときにも、外観上、菓子ボトルが見えることがない。したがって、他人の目を気にすることなく、菓子ボトルのキャップ部６を開閉して、菓子ボトルの中から菓子（例えば、ガム）を取り出すことができる。
【００３０】
また、本実施の形態では、キャラクターカバー３をぬいぐるみで構成することにより、キャラクターカバー３のデザイン性が向上し、若い女性などのユーザの興味をひくことができる。また、ぬいぐるみは、柔軟な素材（毛糸やフェルトなど）で構成されるので、菓子ボトルの外形形状に追従するように変形することができ、様々な外形形状の菓子ボトル（例えば、角筒状の菓子ボトル）にもフィットすることが可能である。したがって、いろいろな種類の形状の菓子ボトルに適用することができる。
【００３１】
また、本実施の形態では、ガムボトル２やキャンディーボトルを自分のデスクの上に置くことに抵抗のあるユーザ（例えば、若い女性）であっても、他人の目を気にすることなく自分のデスクの上に置くことができる。そして、そのようなユーザに対して、ガムやキャンディーの購買意欲を高めることができる。
【００３２】
以上、本考案の実施の形態を例示により説明したが、本考案の範囲はこれらに限定されるものではなく、請求項に記載された範囲内において目的に応じて変更・変形することが可能である。
【００３３】
例えば、以上の説明では、菓子ボトルが円筒状である場合を例示したが、本考案の範囲はこれに限定されるものではなく、例えば、菓子ボトルは角筒状であってもよい。
【００３４】
また、以上の説明では、菓子ボトルがガムボトル２である場合について例示したが、本考案の範囲はこれに限定されるものではなく、例えば、菓子ボトルはキャンディーボトルであってもよい。
【００３５】
また、以上の説明では、キャラクターカバー３がぬいぐるみで構成される場合について例示したが、本考案の範囲はこれに限定されるものではなく、例えば、キャラクターカバー３は、プラスティック製のハードカバーで構成されていてもよい。
【００３６】
また、以上の説明では、菓子容器１が、オフィスのデスクの上に置かれる「据置式」の場合について例示したが、本考案の範囲はこれに限定されるものではなく、例えば、菓子容器１にストラップや紐などを付けて「携帯式」にしてもよい。
【産業上の利用可能性】
【００３７】
以上のように、本考案にかかる菓子容器は、ガム容器などをそのまま自分のデスクの上に置くことに抵抗のあるユーザであっても、他人の目を気にすることなく利用することができるという効果を有し、ガムボトルやキャンディーボトル等として用いられ、有用である。
【符号の説明】
【００３８】
１  菓子容器
２  ガムボトル（菓子ボトル）
３  キャラクターカバー（ぬいぐるみカバー）
４  ボトル本体部
５  ヒンジ部
６  キャップ部
７  カバー本体部
８  キャップカバー部
【図１】
0003172083.tif 000003
【図２】
0003172083.tif 000004
【図３】
0003172083.tif 000005
【図４】
0003172083.tif 000006